Podtech/llm-jp-corpus-v4-ja_patent huggingface dataset:
(57)【要約】      （修正有）【課題】衣類用ハンガーにバスタオルやマットを折りたたまずに干すことができて、濡れたものを乾きやすくするハンガーを提供する。【解決手段】衣類ハンガーの下部に曲線形のバスタオルハンガーを設け、その下に細物ハンガーを取りつけ、それぞれに空気通路穴を設ける。【選択図】図１
0003161949.tif 000002
【実用新案登録請求の範囲】
【請求項１】
干す部分を曲線にしたハンガー
【請求項２】
幅を広げ穴を開けた請求項１のハンガー
【考案の詳細な説明】
【技術分野】
【０００１】  本考案は、バスタオルやマットを折りたたまずに干すことができて、乾きやすい衣類用ハンガーに関するものである。
【背景技術】
【０００２】  従来、横に長い長方形の、バスタオル用ハンガーがあった。
【考案が解決しようとする課題】
【０００３】  バスタオルやマットを折りたたまずに干すためには、横に長いスペースが必要であり、バスタオル用のハンガーに衣類をかけることはできない。
また、衣類用ハンガーを利用してバスタオルを干すと乾きづらい。
本考案は、その欠点を除くためになされたものである。
【課題を解決するための手段】
【０００４】  バスタオルやマットをかける部分を曲線にして、全体の横の長さを衣類をかけるために適した長さにする。幅をつけて穴を開ける。
【考案の効果】
【０００５】  濡れた大物の、空気に触れる面が大きくなることから、乾きやすく、横の長さは従来の衣類用ハンガーと同じ長さなので、１にバスタオルなどを干さないときには２に衣類をかけることが可能であり、同様にその幅と空気の通る穴３により、型くずれしづらく乾き易い。なお、タイツやフェイスタオルなどの細長いものを干すことができる４は、補強の目的を兼ねている。
【図面の簡単な説明】
【０００６】
【図１】本考案の斜視図である。
【図２】本考案の正面図である。
【考案を実施するための形態】
【０００７】  バスタオルやマットを、１に折りたたまずにかけることができる。
ハンガーの幅を広くすることで、かけたものの内側にすき間ができることと、ハンガーに穴を開けることで、空気に触れる面が大きくなる。
【符号の説明】
【０００８】  １バスタオルハンガー
２衣類ハンガー
３空気通路穴
４細物ハンガー
【図１】
0003161949.tif 000003
【図２】
0003161949.tif 000004
【手続補正書】
【提出日】平成22年3月17日(2010.3.17)
【手続補正１】
【補正対象書類名】実用新案登録請求の範囲
【補正対象項目名】全文
【補正方法】変更
【補正の内容】
【実用新案登録請求の範囲】
【請求項１】
衣類ハンガー（２）の下部に曲線形のバスタオルハンガー（１）を設け、その下に細物ハンガー（４）をとりつける。以上のような形状を有するハンガー。
【請求項２】
衣類ハンガー（２）、バスタオルハンガー（１）、細物ハンガー（４）にそれぞれ空気通路穴（３）を設けた請求項１のハンガー。
【手続補正書】
【提出日】平成22年5月27日(2010.5.27)
【手続補正１】
【補正対象書類名】実用新案登録請求の範囲
【補正対象項目名】全文
【補正方法】変更
【補正の内容】
【実用新案登録請求の範囲】
【請求項１】
衣類ハンガー（２）の下部に曲線形のバスタオルハンガー（１）を設け、その下に細物ハンガー（４）をとりつけたハンガー。
【請求項２】
衣類ハンガー（２）、バスタオルハンガー（１）、細物ハンガー（４）にそれぞれ空気通路穴（３）を設けた請求項１のハンガー。
(57)【要約】      （修正有）【課題】手でも簡単に切ることができ、折りたたみやすいまきがみを提供する。【解決手段】ミシン目を封筒巾に合わせていれる。【選択図】図１
0003161987.tif 000002
【実用新案登録請求の範囲】
【請求項１】
まきがみに  はさみを使わなくても切れるようにミシン目を封筒巾に合わせて  いれておく。
【考案の詳細な説明】
【考案の開示】
【考案が解決しようとする課題】
【０００１】巻紙で手紙を書いた後、はさみなどで切る手間がかかりそして、終わり部分から封筒巾に合わせて、折りたたむ必要があった。きれいにたたむためには注意しなければいけなかった。
【課題を解決するための手段】
【０００２】巻紙に  はさみなどを使わなくても手で切れるように、ミシン目を  入れておく。ミシン目の巾は、封筒巾にする。
【考案の効果】
【０００３】巻紙に  手紙を書いた後、ミシン目にあわせて手で切ることが出来る。その後、終わりの方からミシン目に合わせて  折りたたんでいけば封筒に入れられるようになっている。
【図面の簡単な説明】
【図１】  ミシン目入り  まきがみ便箋を広げた平面図である。
【図２】  考案したミシン目入り便箋の使用状況を示す立体図である。
【図１】
0003161987.tif 000003
【図２】
0003161987.tif 000004
【手続補正書】
【提出日】平成22年5月30日(2010.5.30)
【手続補正１】
【補正対象書類名】実用新案登録請求の範囲
【補正対象項目名】全文
【補正方法】変更
【補正の内容】
【実用新案登録請求の範囲】
【請求項１】
はさみを使わなくても切れるようにミシン目を封筒巾に合わせていれてあることを特徴とする  まきがみ。
(57)【要約】      （修正有）【課題】赤ちゃん誕生や結婚などのユーザー個々人の記念日を起点に、その後の成長や思い出の写真をアルバムに掲出、保管し、さらにそのイベント（誕生や結婚など）を契機として将来に渡る貯蓄習慣を促すアルバムカレンダーを提供する。【解決手段】記念日からの経過日数をその日の積立額と捉え、毎日の積立額をその累計（積立合計額）を日にちの欄に印字したマンスリーカレンダーを片面（表）に、毎月の写真を他面（裏）に交互に挿入できるファイル止めコイル式のアルバムをフレームに取り付け、毎月、写真とカレンダーを見開きの状態で掲出する。【選択図】図３
0003162000.tif 000002
【実用新案登録請求の範囲】
【請求項１】
マンスリーカレンダーの日にちの欄に、記念日からの経過日数（毎日の積立額）とその経過日数の累計（積立合計額）を表計算ソフトを利用して印字した貯金カレンダー。
【請求項２】
片面（表）に請求項１カレンダー、他面（裏）に写真を交互に挿入できるポケット式アルバムをフレームに取り付け、カレンダーと写真が見開きの状態で掲出できるアルバムカレンダー。
【考案の詳細な説明】
【技術分野】
【０００１】
本考案は、写真アルバムと積立貯金を促すカレンダーに関するものである。
【背景技術】
【０００２】
従来のカレンダーは、写真とカレンダーがあらかじめプリントされたもの、あるいはカレンダーの日にち欄にメモのスペースを設けたものが数多く見られる。
【０００３】
また、カレンダーの裏面に写真を収納するポケットを設けた壁掛け用のアルバムカレンダーや、予め帖着してあるシールを活用し手軽に写真や葉書などを貼ることができる技術もすでに提案されている。
【先行技術文献】
【特許文献】
【０００４】
【特許文献１】実用新案登録第３０７７９７２号広報
【特許文献２】実用新案登録第３１４５８６８号広報
【考案の概要】
【考案が解決しようとする課題】
【０００５】
しかしながら、従来の月めくりのアルバムカレンダーはメモやスケジュールの記載用途からも通常１月から１２月までの単年で交換され、複数年に渡り利用できるアルバムカレンダーがなかった。
【０００６】
赤ちゃん誕生や結婚などのユーザー個々人の記念日を契機に、将来に向けた積立貯金を動機付け、習慣化を促す機能をアルバムカレンダーに求めたものである。
【課題を解決するための手段】
【０００７】
写真やカレンダーを自由に挿入し交換できるファイル止めコイルの付いたポケット型アルバムを利用することにより、アルバムカレンダーの本体は翌年以降も利用することができる。
【０００８】
表計算ソフトにより算出した記念日からの経過日数（毎日の積立額）とその経過日数の累計（積立合計額）を、マンスリーカレンダーの日にちの欄に印字する。
【０００９】
ポケット型アルバムの片面（表）にカレンダーを、他面（裏）に写真をユーザーが交互に挿入することにより、毎月の写真とカレンダーを見開きの状態で掲出させ、毎日の積立状況が確認できるようにする。
【考案の効果】
【００１０】
本考案に係るアルバム貯金カレンダーは、毎月の成長や思い出の写真を眺めながら、記念日からの経過日数を毎日の積立額と捉えることにより、自ら設定した貯金の目標額に向け、将来に渡り積立を誘導することができる。
【図面の簡単な説明】
【００１１】
【図１】アルバム・カレンダーの概観図である。
【図２】記念日からの経過日数（毎日の積立額）及び累計（積立合計額）を記載した貯金カレンダーである。
【図３】フレームにアルバム貯金カレンダー図１を取り付け、見開きの状態で固定した概略図である。
【考案を実施するための形態】
【００１２】
図１に示すように、写真の交換が可能なポケット型アルバムの両面を利用し、片面（表）にカレンダーを他面（裏）に写真を挿入する。
【００１３】
図２に示すように、表計算ソフトにより算出した記念日からの経過日数（毎日の積立額）及びその累計（積立合計額）をマンスリーカレンダーの日にちの欄に印字する。
【００１４】
図３に示すように、フレームの上下中央部を横断するワイヤーにアルバムカレンダーのコイル部分を通した状態で取り付け、写真とカレンダーが見開きの状態でフレームの上下に１枚づつ固定できるようにする。
【符号の説明】
【００１５】
１    アルバム
２    写真
３    貯金カレンダー
４    フレーム
【図１】
0003162000.tif 000003
【図２】
0003162000.tif 000004
【図３】
0003162000.tif 000005
【手続補正書】
【提出日】平成22年6月15日(2010.6.15)
【手続補正１】
【補正対象書類名】実用新案登録請求の範囲
【補正対象項目名】全文
【補正方法】変更
【補正の内容】
【実用新案登録請求の範囲】
【請求項１】
個々のユーザーの記念日を起点に１周年後までの１３枚のマンスリーカレンダーシートをファイル止めコイルの付いたポケット型アルバムの片面（表）に、他面（裏）に毎月の写真を挿入するアルバムカレンダーであって、各月のカレンダーシートには翌年以降の同月の暦を表示する領域が含まれており、同カレンダーシートの日にちの欄には記念日からの経過日数（毎日の積立額）とその経過日数の累計（積立合計額）が併記されていることを特徴とするメモリアル・アルバム貯金カレンダー。
【請求項２】
前記ポケット型アルバムを綴るコイル部分をワイヤーで横断させた状態でフレームに固定し、写真とカレンダーが上下見開きの状態で掲出できることを特徴とする請求項１に記載のメモリアル・アルバム貯金カレンダー。
(57)【要約】      （修正有）【課題】子供のおやつや、喫茶店で食するに適するように、コーヒー膜で覆った後いぶして製造したスモークチーズを提供する。【解決手段】チーズ１を薫製にする前にアイスコーヒー等に浸して、コーヒーの膜で十分に被覆２する。そして、その後、同チーズを煙でいぶして薫製にすることで、被覆されたコーヒーの風味を維持する。なお、チーズ１の種類はどのような種類のチーズでもかまわないし、浸すコーヒーの種類や薫製の方法も問わない。【選択図】図１
0003161995.tif 000002
【実用新案登録請求の範囲】
【請求項１】
チーズ（１）を煙でいぶすことで薫製にした、いわゆるスモークチーズにおいて、前記スモークチーズをコーヒーの膜（２）で被覆したことを特徴とする加工スモークチーズ。
【考案の詳細な説明】
【考案の詳細な説明】
【技術分野】
【０００１】  本考案は、コーヒーの膜でチーズを覆ったスモークチーズであって、おやつ製品としてや、喫茶店等の飲食店で提供することに適した料理に関するものである。
【背景技術】
【０００２】  チーズを煙でいぶすことで薫製にした、いわゆるスモークチーズは料理として一般的であるが、スモークチーズを作るにあたって、コーヒーの風味をつけたものについては未開発であった。
【考案の概要】
【考案が解決しようとする課題】
【０００３】  スモークチーズは、保存が効き、風味の優れた食品であるが、塩気があり、酒のつまみとして食されることや、レストランで提供されることは多いものの、子どものおやつとしてや、喫茶店で食すものとしては不向きであった。
本考案は、コーヒーの膜でチーズを覆い、その上で薫製にすることで、もともと乳製品であるチーズの味とコーヒーの味が合わさり、いわゆるカフェオレの風味を出し、子どものおやつとしてや、喫茶店でのメニューとして食すに適したスモークチーズを提供することを目的とするものである。
【課題を解決するための手段】
【０００４】  チーズを煙でいぶして薫製にする、いわゆるスモークチーズの作成において、事前にアイスコーヒー等に浸し、コーヒーの膜で被覆する。
【考案の効果】
【０００５】  このように、従来酒のつまみやレストランで提供されることが多かったスモークチーズを、コーヒー風味にすることで、子どものためのおやつ製品や、喫茶店等の飲食店で提供するのに適した商品とし、より幅広い食品とするとともに、チーズ好きやコーヒー好きの人にとって新しい食文化を提供し、多くの人が食して楽しむことができるようになる。
【実施例】
【０００６】  以下、本考案の実施例について図面に基づき説明する。
チーズを符号１として、薫製にする前にアイスコーヒー等に浸して、コーヒーの膜で十分に被覆する。そして、その後、同チーズを煙でいぶして薫製にすることで、被覆されたコーヒーの風味を維持する。この被覆層が符号２である。
なお、符号１で使用するチーズの種類はどのような種類のチーズでもかまわないし、浸すコーヒーの種類や薫製の方法も問わない。
【産業上の利用可能性】
【０００７】  出来上がったものについては、製品にして販売する、飲食店のメニューとして提供する等の利用が考えられる。
【符号の説明】［図１］
１  チーズ
２  コーヒーの膜
【図１】
0003161995.tif 000003
【手続補正書】
【提出日】平成22年6月21日(2010.6.21)
【手続補正２】
【補正対象書類名】明細書
【補正対象項目名】全文
【補正方法】変更
【補正の内容】
【考案の詳細な説明】
【技術分野】
【０００１】  本考案は、コーヒーの膜でチーズを覆ったスモークチーズであって、おやつ製品としてや、喫茶店等の飲食店で提供することに適した料理に関するものである。
【背景技術】
【０００２】  チーズを煙でいぶすことで薫製にした、いわゆるスモークチーズは料理として一般的であるが、スモークチーズを作るにあたって、コーヒーの風味をつけたものについては未開発であった。
【考案の概要】
【考案が解決しようとする課題】
【０００３】  スモークチーズは、保存が効き、風味の優れた食品であるが、塩気があり、酒のつまみとして食されることや、レストランで提供されることは多いものの、子どものおやつとしてや、喫茶店で食すものとしては不向きであった。
本考案は、コーヒーの膜でチーズを覆い、その上で薫製にすることで、もともと乳製品であるチーズの味とコーヒーの味が合わさり、いわゆるカフェオレの風味を出し、子どものおやつとしてや、喫茶店でのメニューとして食すに適したスモークチーズを提供することを目的とするものである。
【課題を解決するための手段】
【０００４】  チーズを煙でいぶして薫製にする、いわゆるスモークチーズの作成において、事前にアイスコーヒー等に浸し、コーヒーの膜で被覆する。
【考案の効果】
【０００５】  このように、従来酒のつまみやレストランで提供されることが多かったスモークチーズを、コーヒー風味にすることで、子どものためのおやつ製品や、喫茶店等の飲食店で提供するのに適した商品とし、より幅広い食品とするとともに、チーズ好きやコーヒー好きの人にとって新しい食文化を提供し、多くの人が食して楽しむことができるようになる。
【考案を実施するための形態】
【実施例】
【０００６】  以下、本考案の実施例について図面に基づき説明する。
チーズを符号１として、薫製にする前にアイスコーヒー等に浸して、コーヒーの膜で十分に被覆する。そして、その後、同チーズを煙でいぶして薫製にすることで、被覆されたコーヒーの風味を維持する。この被覆層が符号２である。
なお、符号１で使用するチーズの種類はどのような種類のチーズでもかまわないし、浸すコーヒーの種類や薫製の方法も問わない。
【産業上の利用可能性】
【０００７】  出来上がったものについては、製品にして販売する、飲食店のメニューとして提供する等の利用が考えられる。
【図面の簡単な説明】
【０００８】
【図１】本件考案の断面図を示したものである。
【符号の説明】
【０００９】１  チーズ
２  コーヒーの膜
(57)【要約】      （修正有）【課題】銅の黴に対する抗菌作用を利用した銅製品を提供する。【解決手段】板状、塊状又は粉末顆粒銅部分と該銅部分を両面テープ又は粘着性の物に混ぜ合わせ結合固定する担持部とから成る。【選択図】図１
0003161992.tif 000002
【実用新案登録請求の範囲】
【請求項１】
銅部分と該銅部分を結合固定する担持部とから成ることを特徴とする黴を軽減抑制防止する銅製品。
【請求項２】
前記銅部分が象形された塊状物であることを特徴とする請求項1記載の黴を軽減抑制防止する銅製品。
【請求項３】
前記銅部分が粉末顆粒である事を特徴とする請求項1記載の黴を軽減抑制防止する銅製品。
【考案の詳細な説明】
【技術分野】
【０００１】
この考案は銅が黴を軽減抑制防止すると言われ、特に健康素材として使用することが出来る商品に関する。
【背景技術】
【０００２】
従来から銅は黴に対して抗菌作用があると言われているが  それを踏まえた製品が出ておらず風呂場等は黴の繁殖などに悩まされているのが現状である。  
【考案の概要】
【考案が解決しようとする課題】
【０００３】
銅が黴を発生させずらいと云うことに加えこれを利用した抗菌作用、殺菌作用を高める商品が求められている。しかしながらその様な製品が無い。
【課題を解決するための手段】
【０００４】
。
本考案は銅部分とその結合を固定する担持部から成るところを特徴とする  黴を軽減抑制防止する銅製品である。銅部分として0，1〜3ミリ程の銅板が使用され担持部材として例えば両面テ−プが使用される。
本考案の銅製品は水、温水、空気中の物質等と接触する事により効力を発揮する事に着目し、さらに、抗菌作用や殺菌作用を高める銅製品等がこれにより上記課題を解決するものである。
【考案の効果】
【０００５】
本考案に係わるこの様な銅製品を風呂場等へ置いたり貼り付けることにより健康を害する黴などを軽減抑制防止し、抗菌殺菌作用の効果がある。
【図面の簡単な説明】
【０００６】
【図１】本考案に係わる黴を軽減抑制防止する板の銅製品である。
【図２】本考案に係わる黴を軽減抑制防止する塊の銅製品である。
【図３】本考案に係わる黴を軽減抑制防止する粉末顆粒の銅製品である。
【考案を実施するための形態】
【０００７】
図1に示すように銅部分1は0，１ミリ〜3ミリほどの銅板であり担持部材2は両面テ−プ等である。
本考案に係わる銅製品は、インテリアとしても使用することが出来、使用者の趣向により例えば、動物、花、影絵等全ての形に、加工して使用する事ができる。
【０００８】
図2に示すように銅部分1は象形された塊状である例えば動物形の犬、猫、また魚であればイルカ、鯛などにし、担持部材2に両面テ−プ等を使用する。
【０００９】
図3に示すように銅部分1は粉末顆粒であり、担持部材2は粘着性の物で混ぜ合わせて使用する。
【００１０】
本考案の銅製品は風呂場など黴の発生しやすい場所に貼り付け又設置する。
【符号の説明】
【００１１】
1・・・・・・銅部分
2・・・・・・担持部材
【図１】
0003161992.tif 000003
【図２】
0003161992.tif 000004
【図３】
0003161992.tif 000005
【手続補正書】
【提出日】平成22年6月8日(2010.6.8)
【手続補正１】
【補正対象書類名】実用新案登録請求の範囲
【補正対象項目名】全文
【補正方法】変更
【補正の内容】
【実用新案登録請求の範囲】
【請求項１】
板状、塊状又は粉末顆粒銅部分と該銅部分を両面テープ又は粘着性の物に混ぜ合わせ結合固定する担持部とから成ることを特徴とする黴を軽減抑制防止する銅製品。
【請求項２】
前記銅部分が象形された塊状物であることを特徴とする請求項1記載の黴を軽減抑制防止する銅製品。
【請求項３】
前記銅部分が粉末顆粒である事を特徴とする請求項1記載の黴を軽減抑制防止する銅製品。
(57)【要約】      （修正有）【課題】乳幼児や幼児の興味を引き、遊びながら、お風呂のお湯の汚物を除去する、水遊び玩具を提供する。【解決手段】水面に浮遊可能な、アザラシ１４の口の部分１に、ポンプ４を設けて、浴槽内の汚物を吸収し除去するよう構成した。浮遊可能な玩具本体の底部にポンプを設け、ポンプによって汚物を除去する。それによって不潔感を解消することが出来、乳幼児も大人も、快適に入浴するこが出来る。【選択図】図２
0003161958.tif 000002
【実用新案登録請求の範囲】
【請求項１】
水面に浮遊可能とされた玩具において、浴槽内に浮いている、アカ及び塵などの汚れものを、幼児が楽しみながら除去することを、特徴とした、水遊び玩具。
【請求項２】
請求項１において、水遊可能の玩具に、ミニーポンプを設け、排水の水圧により玩具が前進しながら汚れものを吸収することを特徴とした。
【考案の詳細な説明】
【技術分野】
【０００１】  本発明は、水遊び玩具にポンプを設けて浴槽内の水面に浮いている汚れものを除去する玩具である。
【背景技術】
【０００２】  従来より、水遊び用玩具は、多類発売されているが、浮遊可能とされた玩具において、実用的に、お約にたつ水遊び玩具の商品は存在していなかった。
【発明が解決しようとする課題】
【０００３】  水遊び玩具で幼児が遊んでいても、水面に汚れものが浮いているのが目立つ、何人もの入浴があれば、当然お湯も汚れる。乳幼児にも衛生上よくない
【課題を解決するための手段】
【０００４】  浮遊可能とされた、玩具本体の底部にポンプを設ける、ポンプによって汚物を除去する、それによって不潔感を解消することが出来る、乳幼児も、大人も、快適に入浴するこが出来る。
【発明の効果】
【０００５】  浮遊可能とされた玩具の底部に設けた、ポンプが始動すると汚物を吸い取って除去することで、気持よく入浴することが出来る、便に乳幼児も、アザラシ玩具が湯を飲みながら泳いでいる、動作に、興味を引くことが出来る。
【考案を実施するための最良の形態】
【０００６】  以下、本発明の実施の形態について説明する。
水遊び玩具の外観は、アザラシを模しております、このほかに船や潜水艦等の乗り物、及び、動物などの他にも、キャラクターなどを模しても構わない。【０００７】  アザラシ（１４）の口面に、ミニポンプ（４）を設け、吸水口（１）をアザラシ（１４）の口元に付設し、パイプ（５）と、ポンプ（４）と接続し、パイプ（５）の端部がアザラシ（１４）の背中部に設けポンプ（４）の電源コード（７）のプラグ（６）をコネクター（９）に差し込み、電源スイッチ（１１）をＯＮにして始動する、アザラシ（１４）の口元の吸水口（１）から湯を吸い込み汚物がフイルター（３）に、つまるポンプカバー（２）をネジ開けて汚物を水洗いする。
排水口（８）に湯水が吐出してくる水の圧力によって、アザラシ（１４）は、泳ぎだす、カジ取り（１２）を手で斜めにしてやれば浴槽内を巡回する電源器（１０）の中にあるデンチの交換の時は、点検口（１３）を開けて交換する。
【図面の簡単な説明】
【０００８】
【図１】本考案の一実施例による水遊び玩具の斜視図である。
【図２】本考案の一実施例による水遊び玩具の部分破断斜視図である。
【図３】本考案の一実施例による水遊び玩具のポンプ部分の斜視図である。
【図４】本考案の一実施例による水遊び玩具の電源ユニットの斜視図である。
【符号の説明】
【０００９】  １  吸水口
２  ポンプカバー
３  フイルター
４  ポンプ
５  パイプ
６  プラグ
７  コード
８  排水口
９  コネクター
１０  電源器
１１  スイッチ
１２  カジ
１３  点検口
１４  アザラシ
【図１】
0003161958.tif 000003
【図２】
0003161958.tif 000004
【図３】
0003161958.tif 000005
【図４】
0003161958.tif 000006
【手続補正書】
【提出日】平成22年5月21日(2010.5.21)
【手続補正１】
【補正対象書類名】実用新案登録請求の範囲
【補正対象項目名】全文
【補正方法】変更
【補正の内容】
【実用新案登録請求の範囲】
【請求項１】
浮遊可能な玩具（１４）の吸水口（１）となる、口元の部分に、ミニ水中ポンプ（４）を設け、電源ユニット（１０）内のスイッチ（１１）で始動し、吸水口（１）より浴槽内の水面に浮いている、アカ及び塵などの汚れ物を吸水口（１）より吸いとりポンプ（４）と接続のパイプ（５）に通過し、排水口（８）より流出することによって湯水を浄化することを特徴とした水遊び玩具。
【請求項２】
排水口（８）から流出する水の圧力により、前記玩具（１４）が前へ進み出す、カジ（１２）を手動で斜めにすれば浴槽内を円を描いて巡回する、吸水口（１）から吸い込んだ汚れ物は、フィルター（３）によって詰るその詰った汚れ物を、ポンプカバー（２）を開けて除去することを特徴とした、請求項１に記載の水遊び玩具。
(57)【要約】      （修正有）【課題】バンカーレーキのハンドルに伸縮機能をもたすことによって、バンカーショット後の足跡やピッチマークをならす作業をバンカーの外からでも容易にするバンカーレーキ用ハンドルを提供する。【解決手段】バンカーレーキ１用のハンドルを数段の伸縮式ポールの構造にする。ハンドルの下部ポール部４に上部ポール２を挿入し、継ぎ手部分に上部ポールを任意の長さに調整、固定出来るストッパー３の機能を組み込む。プレイヤー及びキャディーが必要に応じハンドルの長さを調整し、ならし作業が出来るようにバンカーレーキ用伸縮式ハンドルを構成する。【選択図】図１
0003161959.tif 000002
【実用新案登録請求の範囲】
【請求項１】
伸縮機能があるバンカーレーキ用ハンドル
【考案の詳細な説明】
【考案の詳細な説明】
【技術分野】
【０００１】この考案はバンカーレーキのハンドルに伸縮機能をもたすことによって、バンカーショット後の足跡やピッチマークをならす作業をバンカーの外からでも容易にする物である。
【背景技術】
【０００２】従来のバンカーレーキのハンドルには伸縮機能がなく、ハンドルの長さは大抵１４０ｃｍぐらいである。この場合、広いバンカーの中央などレーキの長さより遠い場所にボールが入った時などは、バンカーショット後プレイヤー或いはキャディーはバンカーの中に再度入りならし作業をしなければならず、その時に生じる足跡もならさなければならない。また、対面付近のならし作業にはバンカーの周りをまわるか、手前からバンカーに入りその場所まで歩かなければならず、不便できれいに足跡をならすことは時間がかかり困難であった。
【課題】
【０００３】バンカーレーキのハンドルの構造において、伸縮機能を採用することにより、バンカーショット後の足跡やピッチマ−クをならす作業の負担を軽減し利便性と作業効果の向上をはかる。
【解決手段】
【０００４】バンカーレーキ用のハンドルを数段の伸縮式ポールの構造にする。ハンドルの下部ポール部に上部ポールを挿入し、継ぎ手部分に上部ポールを任意の長さに調整、固定出来るストッパー機能を組み込む。プレイヤー及びキャディーが必要に応じハンドルの長さを調整しならし作業が出来るように構成したバンカーレーキ用伸縮式ハンドル。
【考案実施の形態】
【０００５】従来のバンカーレーキのハンドルには伸縮機能はないが、本考案は図１〜図２に示すようにハンドルを数段の伸縮式ポール構造にすることによって、プレイヤー及びキャディーがショット後再度バンカー内に入らなくても、或いは対面付近のならし作業もバンカーの周りをまわらずに上部ポール及び中間ポールを伸ばし固定することにより、バンカーの外からならし作業ができる利便性と作業効果向上をはかることを可能にした。また、作業後伸ばした上部ポール及び中間ポールを下部ポール内に収納することにより、バンカー付近のプレーの妨げになることも少ない。ハンドルの材料としては軽量で耐久性もあるアルミニウムがふさわしい材料として用いられる。上部ポール及び中間ポールを固定するストッパー機能はポール内蔵回転式或いは外付けネジ式が望ましい。
【実施例】
【０００６】本考案の実施例を図面に基づいて具体的に説明する。図１〜図２は本考案のバンカーレーキ用ハンドルの実施例を示す。
【考案の効果】
本考案の伸縮式バンカーレーキハンドルはバンカーに入ることなく足跡やピッチマークをならすことが出来るので作業性の向上に効果的である。また、従来のバンカーレーキよりも長いメンテナンス用バンカーレーキの代替品としても利用出来、また広いバンカーでは従来のバンカーレーキを数箇所に配置していたが、伸縮式バンカーレーキを使用すればより遠い場所のならし作業が可能となり、バンカーレーキの数量を減らすことができ経済的メリットもある。万一、ボールが高い木の中に入り枝内にとまった場合、バンカーレーキのハンドルを伸ばして枝を揺らしボールを落下させることも出来る。
【図面の簡単な説明】
【図１】伸縮式２段バンカーレーキハンドル  上部ポール長さ調節・固定ストッパー内蔵タイプ
【図２】伸縮式３段バンカーレーキハンドル  上部、中間ポール長さ調節・固定ストッパーネジ外付けタイプ
【符号の説明】１  レーキ（頭）
２  上部ポール
３  上部ポール長さ調整・固定ストッパー
４  下部ポール
５  グリップ
６  上部ポール先端キャップ
７  中間ポール
８  中間ポール長さ調整・固定ストッパー
【図１】
0003161959.tif 000003
【図２】
0003161959.tif 000004
【手続補正書】
【提出日】平成22年3月19日(2010.3.19)
【手続補正１】
【補正対象書類名】実用新案登録請求の範囲
【補正対象項目名】全文
【補正方法】変更
【補正の内容】
【実用新案登録請求の範囲】
【請求項１】
２段式ハンドルの場合は上部ポールと下部ポールの２つの部材から構成され、上部ポールが下部ポールへスライドすることによって挿入及び伸縮を可能にしたバンカーレーキ用ハンドル。３段式の場合は上部ポール、中間ポール、下部ポールの３つの部材から構成され、上部ポールが中間ポールへ、中間ポールが下部ポールへスライドすることによって挿入及び伸縮を可能にしたバンカーレーキ用ハンドル。
【手続補正書】
【提出日】平成22年5月21日(2010.5.21)
【手続補正１】
【補正対象書類名】実用新案登録請求の範囲
【補正対象項目名】全文
【補正方法】変更
【補正の内容】
【実用新案登録請求の範囲】
【請求項１】
バンカー用レーキの頭部を装着した上部ポールとグリップのついた下部ポールの間に長さ調整・固定ストッパーがあり、この調整・固定ストッパーを緩めることにより、上部ポールの固定が解除され上部ポールがスライドして動き、必要な長さに上部ポールを調整し固定することが出来る機能をもつバンカーレーキ用ハンドル。
(57)【要約】      （修正有）【課題】高齢の為、機能低下で食事時の食べ汚しによる心配から外出に出かける不安を無くし、おしゃれに安心して出掛けられるブラウス及びベストを提供する。【解決手段】上前身頃に切りかえを作り、撥水布で出来た上前身頃と同型の下前身頃が挿入された形態でブラウス及びベストを形成する。使用に当っては、食事時、上前身頃を開き固定することにより、上前身頃裏３と下前身頃表４が撥水布を使用の為、食べ汚しがあってもおしぼり等で拭き、食後は上前身頃を元に戻すことにより汚れを隠す事が出来る。【選択図】図２
0003161957.tif 000002
【実用新案登録請求の範囲】
【請求項１】
高齢に伴う機能低下によって、食事時の食べこぼしを起す為、家庭内施設内では衣服を汚す予防としてスタイ及びエプロン等を使用していますが、外食時では本人の羞恥心が先行し、上記のスタイ及びエプロンの使用を拒否しがちである為、要介護者の精神的負担、介護者の介助負担を軽減する為に考案した、食べ汚しひと拭き安心撥水挿入ブラウス。
【考案の詳細な説明】
【技術分野】
【０００１】服飾
【背景技術】
【０００２】福祉介護服
【考案の概要】
【考案が解決しようとする課題】
【０００３】高齢の為、機能低下で食事時の食べ汚しによる心配から外食に出かける不安を無くし、おしゃれに安心して出掛けられるブラウス及びベスト。
【課題を解決するための手段】
【０００４】上前身頃を切りかえにし、上前身頃中心部分を表地にし、下前身頃中心部分を撥水布地にする。この撥水布地で出来た下前身頃中心部分を挿入する事により解決。
【考案の効果】
【０００５】食事時、上前身頃を開き固定することにより、上前身頃裏と下前身頃表が撥水布を使用の為、食べ汚しがあってもおしぼり等で拭き、食後は上前身頃を元に戻すことにより汚れを隠す事が出来る。
【図面の簡単な説明】
【０００６】
【図１】上前身頃を片面開いた図です。
【図２】上前身頃を両面開き、脇のループに前身頃切りかえから出たテープを面ファスナーで止めた図面。
【考案を実施するための形態】
【０００７】上前身頃に切りかえを作り、撥水布で出来た上前身頃と同型の下前身頃が挿入された形態。
【産業上の利用可能性】
【０００８】今まで高齢者の食事時食べ汚しが多く見られ、特にエプロンやナフキン等を使用せず汚れた状態で帰路についています。そのため、おしゃれで華やかな色の衣服を敬遠するが、このブラウス及びベストはそれぞれを解消する。
【符号の説明】
【０００９】１  上前身頃中心部分表面（表地）
２  上前身頃脇表面（表地）
３  上前身頃中心部分裏面（撥水布）
４  下前身頃中心部分表面（撥水布）
５  上前身頃固定テープ（面ファスナー付き）
６  上前身頃固定テープを通すループ
７  下前身頃中心部分裏面（表地）
【図１】
0003161957.tif 000003
【図２】
0003161957.tif 000004
【手続補正書】
【提出日】平成22年3月15日(2010.3.15)
【手続補正１】
【補正対象書類名】実用新案登録請求の範囲
【補正対象項目名】全文
【補正方法】変更
【補正の内容】
【実用新案登録請求の範囲】
【請求項１】
上前身頃に切りかえを作り、撥水布で出来た上前身頃と同型の下前身頃が挿入された形態のブラウス及びベスト。
【手続補正書】
【提出日】平成22年5月26日(2010.5.26)
【手続補正１】
【補正対象書類名】実用新案登録請求の範囲
【補正対象項目名】全文
【補正方法】変更
【補正の内容】
【実用新案登録請求の範囲】
【請求項１】
上前身頃に切りかえを作り、撥水布で出来た上前身頃と同型の下前身頃が挿入された形態のブラウス又はベスト。
(57)【要約】      （修正有）【課題】道路標識板が外力を受けても、それを受け流し、外力がなくなった後は標識板が元の位置に戻ることのできる標識の取付金具を提供する。【解決手段】支柱８に取り付ける支柱取付板２と標識板６を取り付ける標識取付板３の間を縦方向、横方向に曲げられる自在継ぎ手１でつなぎその自在継ぎ手を取り巻いて外接するバネ５を配置し、そのバネの力で支柱取付板２と標識取付板３は平行に保持されるようにしてある。【選択図】図１
0003161963.tif 000002
【実用新案登録請求の範囲】
【請求項１】
里程標板等の標識板を支柱に固定するための取り付け金具で、支柱へ取り付ける長さ２０ｃｍ程、幅４ｃｍ程、厚さ３ｍｍ程の支柱取付板と標識板を取り付ける長さ２０ｃｍ程、幅４ｃｍ程、厚さ３ｍｍ程の標識取付板の間を、全体の長さ約７ｃｍ、幅約３ｃｍの縦方向、横方向に屈曲できる関節を持つ自在継ぎ手で繋ぎ、その自在継ぎ手に外接する形で、線径４ｍｍ程の鋼線を巻いて作った直径３〜５ｃｍのバネを自由長から２０〜３０％圧縮して自在継ぎ手を取り巻くように配置し、通常はそのバネの突っ張る力で、支柱取付板と標識取付板は平行に位置しているが、標識取付板に取り付けてある標識板に外力が加わると標識取付板はバネに抗してそれを逃げるように平行からずれて動き、外力が無くなるとバネの力でまた元の位置に戻ることを特徴とした衝撃緩衝用表示板取付金具。
【請求項２】
標識取付板の両端部を１〜２ｃｍ隆起させて、突起部をこしらえておき、標識板に外力が加わって標識取付板が曲げられる折、限界以上曲がらないように突起部がストッパーとして働くことを特徴とする請求項１記載の衝撃緩衝用表示板取付金具。
【考案の詳細な説明】
【技術分野】
【０００１】  高速道路等にはキロポストと呼ばれる里程標が、１００ｍ毎に支柱に取り付けてある。その里程標の取付金具に関する。
【背景技術】
【０００２】  積雪地帯においては道路の除雪は必要不可欠なものであるが、道路上に積もった雪をスピードを持ったグレーダーで除雪する方法や、回転刃を持った除雪車により雪を遠方に吹き飛ばす方法がとられる。その場合、路側あるいは道路中央分離帯に立つ道路標識に飛ばされた雪が当たることが往々にして起こった。【０００３】  道路標識がしっかりした丈夫なものであれば、その飛ばされた雪の衝撃により標識が曲がったり、壊れたりすることは無いだろうが、キロポストのように簡単な金具で支柱に取り付けてあるものについては損傷を受けることが多かった。とはいっても膨大な数なので、それを丈夫なものにするために多くの費用をかけることはできなかった。【０００４】  そこで雪がぶつかってもそれを受け流すように、標識をバネで支柱に取り付ける方法も一部とられているが、固定方法が不安定なので、衝撃を受けた後、標識が元の位置に戻らないでゆがんでしまうことが多々発生した。
【考案の開示】
【考案が解決しようとする課題】
【０００５】  道路標識板が外力を受けても、それを受け流して標識板を正常位置に保持することのできる標識の取付金具を提供する。
【課題を解決するための手段】
【０００６】  本考案は上記問題に鑑みてなされたものであり、支柱に取り付ける支柱取付板と標識板を取り付ける標識取付板の間を縦方向、横方向に曲げられる自在継ぎ手でつなぎ、その自在継ぎ手を取り巻いて外接するバネを配置し、そのバネの力で支柱取付板と標識取付板は平行に保持されるようにしてある。
【考案の効果】
【０００７】  本考案の衝撃緩衝用表示板取付金具によれば、簡単に支柱に標識板を取り付けることができ、かつ標識板のどこかに外圧を受けたときには、自在継ぎ手とバネにより構成された部分が屈曲して、外力を逃がし、標識板を正常位置に保持することができる。
【考案を実施するための最良の形態】
【０００８】  標識板を支柱に取り付けるための取付金具で、支柱へ取り付けるための支柱取付板と標識板を取り付けるための標識取付板の間を自在継ぎ手で繋ぎ、その自在継ぎ手に外接する形でバネを配置し、バネは若干圧縮した形でセットしてあり、このため支柱取付板と標識取付板はバネの力で押し付けられて、平行に保持されている。
【実施例】
【０００９】  本考案の衝撃緩衝用表示板取付金具の実施例を図面に基づいて説明すると、第１図は標識板を支柱に取り付けた状態を示す概念図でａは上面図、ｂは側面図である。長さ７ｃｍの自在継ぎ手１により、長さ２０ｃｍ幅４ｃｍ厚さ３ｍｍの支柱取付板２と長さ２０ｃｍ幅４ｃｍ厚さ３ｍｍの標識取付板３は結合されている。自在継ぎ手１は軸４，４′により上下左右に傾きを変えることができる。【００１０】  自在継ぎ手１を取り囲むように線径４ｍｍの鋼線を巻いて作った直径４ｃｍのバネ５が約２０％圧縮されて取り付けてある。従って支柱取付板２と標識取付板３はバネの力で押し付けられて平行を保っている。標識板６は標識取付板３に取り付けてある。またこれら全体を支柱取付板２とバンド７によって支柱８に取り付けてある。かつ標識取付板の両端を隆起させて突起部９をこしらえ、標識取付板が限界以上曲がらないようにストッパーとして機能するようにしてある。
【産業上の利用可能性】
【００１１】  以上説明したように、本考案の衝撃緩衝用表示板取付金具によれば、標識板に除雪車から投げ飛ばされた雪が当たって力を受けても、その力を受け流すように標識板は傾き、外力が無くなった時点でまた戻ることができるので、標識板が壊れたり曲がったりすることは無い。
【図面の簡単な説明】
【００１２】
【図１】標識板を支柱に取り付けた状態を示す概念図
【符号の説明】
【００１３】１        自在継ぎ手
２        支柱取付板
３        標識取付板
４，４′  軸
５        バネ
６        標識板
７        バンド
８        支柱
９        突起部
【図１】
0003161963.tif 000003
【手続補正書】
【提出日】平成22年5月28日(2010.5.28)
【手続補正１】
【補正対象書類名】実用新案登録請求の範囲
【補正対象項目名】全文
【補正方法】変更
【補正の内容】
【実用新案登録請求の範囲】
【請求項１】
里程標板等の標識板を支柱に固定するための取り付け金具で、支柱へ取り付ける長さ２０ｃｍ程、幅４ｃｍ程、厚さ３ｍｍ程の支柱取付板と標識板を取り付ける長さ２０ｃｍ程、幅４ｃｍ程、厚さ３ｍｍ程の標識取付板の間を、全体の長さ約７ｃｍ、幅約３ｃｍの縦方向、横方向に屈曲できる関節を持つ自在継ぎ手で繋ぎ、その自在継ぎ手に外接する形で、線径４ｍｍ程の鋼線を巻いて作った直径３〜５ｃｍのバネを自由長から２０〜３０％圧縮して自在継ぎ手を取り巻くように配置し、標識板に外力が加わっていない状態ではそのバネの突っ張る力で、支柱取付板と標識取付板は平行に位置しているが、標識取付板に取り付けてある標識板に外力が加わると標識取付板はバネに屈してそれを逃げるように平行からずれて動き、外力が無くなるとバネの力でまた元の位置に戻ることを特徴とした衝撃緩衝用表示板取付金具。
【請求項２】
標識取付板の両端部を１〜２ｃｍ隆起させて、突起部をこしらえておき、標識板に外力が加わって標識取付板が曲げられる折、限界以上曲がらないように突起部がストッパーとして働くことを特徴とする請求項１記載の衝撃緩衝用表示板取付金具。
(57)【要約】      （修正有）【課題】丼類の移動配達中に中の汁がこぼれるのを防ぎ、蓋の取り外しを簡単にし、又再利用を可能にした密閉式容器蓋を提供する。【解決手段】プラスチックの蓋１の内側の円周に沿ってゴム状のもの２を貼り、容器の縁をゴム状のもの２に押し付ける事により、ゴム状のものに凹みを生じさせる。さらに、その蓋をバネ付止具３で固定して丼容器の中のタレ等がこぼれないようにして密閉式容器蓋を形成する。【選択図】図２
0003161970.tif 000002
【実用新案登録請求の範囲】
【請求項１】
プラスチックの蓋の内側にゴム状のものを貼りその蓋をバネ付止具で固定して中のタレ等がこぼれないようにしたもの。
【考案の詳細な説明】
【考案の詳細な説明】
【技術分野】
【０００１】  本考案は、出前等で丼物を配達する時に中のものが、こぼれないようにした丼容器の蓋である。
【背景技術】
【０００２】  本来、麺類を入れる丼類は、出前で持ち運ぶ事を前提にしていない、その為こぼれを防ぐ為配達の時など、ラップ、ビニール等をかけ輪ゴムで止めるのが一般的である。
【考案が解決しようとする課題】
【０００３】  配達の時中の汁がこぼれる心配が無く安心して持ち運べると同時にお客がラップを外す時輪ゴムがはねたりする不快感を無くし又外したラップ等をその都度捨てる事のないように環境にも配慮した。
【課題を解決する為の手段】
本考案は、プラスチック蓋の内側に取り付けたゴム状の物を丼上面に強く押しつける事によりゴム状のものに凹みを生じさせバネ付止具で固定し中のタレ等がこぼれないようにした。又ゴム状のものに一定の幅をもたせる事により大きさの異なる容器にも対応出来るようにした。
【図面の簡単な説明】
【図１】  本考案蓋の平面図である。
【図２】  本考案蓋の断面図である。
【図３】  図２  Ｃの拡大図である。
【符号の説明】１  蓋本体
２  ゴム状部分
３  バネ付き止具
【図１】
0003161970.tif 000003
【図２】
0003161970.tif 000004
【図３】
0003161970.tif 000005
【手続補正書】
【提出日】平成22年5月21日(2010.5.21)
【手続補正１】
【補正対象書類名】実用新案登録請求の範囲
【補正対象項目名】全文
【補正方法】変更
【補正の内容】
【実用新案登録請求の範囲】
【請求項１】
プラスチックの蓋の内側の円周に沿ってゴム状のものを貼り容器の縁をゴム状のものに押し付ける事によりゴム状のものに凹みを生じさせその蓋をバネ付止具で固定して丼容器の中のタレ等がこぼれないようにした密閉式容器蓋。
(57)【要約】      （修正有）【課題】地球儀・天球儀としての大きさによる視認性を向上させ、あわせてそのゴム製球体という形状から、家庭内での常備設備とすることでの教育的効果を高める地球儀・天球儀を提供する。【解決手段】ゴム製球体の表面に地球や天体の地理情報等を印刷し、その内部に空気を注入することで、居室内において自由に設置できるものを提供し、家庭内の教育においての効果を高め、あわせてインテリアとしての利用や、バランスボールのように健康面での利用もできる。【選択図】図１
0003161965.tif 000002
【実用新案登録請求の範囲】
【請求項１】
表面に地球やその他天体の地理情報や写真情報を印刷転写した、大型の、弾力性を有する球体状のゴム製品で、地球儀と同様レベルの地理情報をその表面に印刷転写することで、大型の地球儀と同様の教育的効果をもたらすものであり、厚さ２ｍｍ程度の弾力性のあるゴム素材できているため、インテリアとしての利用効果、またバランスボールと同様の利用をすることで健康面での効果をもたらすことができ、天体の天頂部分に空気を注入・排出する空気穴を有するので、利用時にはこの空気穴より空気を注入し、弾力性を有するまで十分に膨らませるとともに、この空気穴には注入した空気が逆流して抜けないような仕組みとなっている弁があるので、非利用時にはこの空気穴の弁に棒状の器具を挿入することで空気を排出することで、折りたたみも可能であり、また製品の大きさは、製品特性や利用形態に合わせて直径２０ｃｍ程度から１ｍ超に至るまで、各種のバリエーションを持たせ、地球以外の天体も同様に製品化することで、インテリアとしての品揃えにも役立つものである。
【考案の詳細な説明】
【技術分野】
【０００１】  本考案は、弾力性を有する大型の球体の表面に、地球や太陽系惑星・衛星の地理情報を転写し、教育的配慮を施した遊具・玩具である。
【背景技術】
【０００２】  従来の家庭内利用の地球儀や天球儀は、直径約１０ｃｍ〜３０ｃｍ程度の大きさが一般的であり、また机上に設置することを前提としている構造物のため、金属類や硬質プラスチック等の材質で作られていることが多い。【０００３】  しかしながら、従来の地球儀や天球儀には、その大きさから詳細な地理情報は字も小さくなり読み取りにくく、また机上に設置してあることが一般的なため、家庭内における教育シーンにおいて、必要とするときにすぐに確認するという要求には対応しにくいという欠点があった。
【考案の概要】
【考案が解決しようとする課題】
【０００４】  本考案は、以上のような従来の欠点を鑑み、大きく、見やすい地理情報・天体情報の提供と、家庭内での利用を前提として確認したいときにすぐに使えるといった、教育的観点での利益を提供することを主たる目的としている。
【課題を解決するための手段】
【０００５】  本考案は、上記目的を達成するために、一例として直径６０ｃｍ〜８０ｃｍ程度の弾力性のあるゴム製ボールの表面に、地球の地理情報や天体の情報を詳細に印刷し、ボールの内部には空気を注入することで軽量性と弾力を確保し、家庭内の居室空間で床にそのまま設置しておくことを可能にするものである。これにより、詳細の地理情報を見やすくすることと、利用したいときにすぐに使えるという利点を生じさせるものである。
【考案の効果】
【０００６】  上述のように、本考案にあっては次に列挙する効果が得られる。
（１）従来の地球儀や天球儀と比較しても大型の球体となるため、地理情報や天体情報を視認しやすく、また転がしながら見ることができるという利点も生まれ、あわせて教育的観点からも効果を生じさせやすくさせるものである。【０００７】  （２）ゴム製で弾力のある軽量の球体のため、家庭内の居室の床にも置け、利用したいときにすぐに使える場所にあるという利便性を生むことができる。また家庭内においては、常に視野の中に入っている物体として、教育的観点からも望ましい効果を得ることができるものである。【０００８】  （３）前記（２）に記述した物体形状のため、いわゆるバランスボールとしての利用も可能となっており、家人が健康面での利用もできるという副次的な効果も生まれるものである。同時に居室内の床に置くという必然性も生まれ、教育的な効果にも波及するものである。
【図面の簡単な説明】
【０００９】
【図１】本考案の、弾力性のあるゴム素材でできた大型の地球儀の実施例を示した平面図である。
【図２】本考案の、断面図である。
【図３】本考案の、［図１］の表面を拡大した例である。
【図４】本考案による商品を利用する形態を示した平面図である。
【考案を実施するための形態】
【００１０】  球体のそのものは、厚さ２ｍｍ程度の弾力性のあるゴムでできている。このゴム製の球体には、内部に空気を注入する穴が一箇所設けられており、使用時にはこの穴から空気を注入し、十分な弾力を有するまで膨らませて使用する。製品企画によって球体の大きさの差異は発生する。このゴム製ボールの表面には、地球儀やその他の天体情報と同等の地理情報その他があらかじめ印刷されており、球形に膨らませることにより、地球儀や天球儀と同等の機能を持たせるものである。家庭においては、この球体を居室の床などに直接設置することで、児童の遊具として、また大人の健康器具として活用しながら、地球儀と同等の地理情報を具体的に確認できるようにする。不要の時には空気穴から空気を抜くことで、コンパクトに折りたたんでしまうことができるものとなる。
【実施例１】
【００１１】  地球儀としての利用を想定し、地球上の地理情報を地球儀並みの精度で印刷し、必要なときにすぐに地理情報を確認できるようにするものである。
【実施例２】
【００１２】  地球儀としての地理情報だけでなく、衛星から撮影した地球の画像などをリアルに転写印刷することで、インテリア品としての利用価値をさらに向上させることができる。
【実施例３】
【００１３】  その他の天体の地理情報などを印刷することで、月球儀、天球儀などの形態に応用することも可能であり、利用者のニーズに応じた製品化を図ることができる。
【符号の説明】
【００１４】１      ゴム製球体本体
２      空気穴
３      印刷された地理情報
【図１】
0003161965.tif 000003
【図２】
0003161965.tif 000004
【図３】
0003161965.tif 000005
【図４】
0003161965.tif 000006
【手続補正書】
【提出日】平成22年5月24日(2010.5.24)
【手続補正１】
【補正対象書類名】実用新案登録請求の範囲
【補正対象項目名】全文
【補正方法】変更
【補正の内容】
【実用新案登録請求の範囲】
【請求項１】
表面に地球やその他天体の地理情報や写真情報を印刷転写した、大型で弾力性を有する球体状のゴム製ボールであって、地球儀と同様レベルの地理情報をその表面に印刷転写した厚さ２ｍｍ程度の弾力性のあるゴム素材できており、球体の天頂部分に空気を注入・排出する空気穴と弁を有し、また製品特性や利用形態に合わせて直径２０ｃｍ程度から１ｍ超に至るまでの大きさのバリエーションと、地球以外の天体も同様の製品化が可能、といった特徴を有するゴム製ボール。